(57)【要約】  一実施形態では、本開示は、プロセッサを有する装置を含み、前記プロセッサは、少なくとも１つのセンサの出力に基づいて、ユーザの身体部分に対する無線通信装置の位置を推定し、前記位置は左側位置、右側位置および正面位置を有するグループから選択され、推定された位置に基づいて、少なくとも１つの無線通信装置の設定を構成するように構成される。別の実施形態では、本開示は、モバイル装置を含み、前記モバイル装置は、少なくとも１つのセンサと、アンテナサブシステムと、アンテナサブシステムに結合されたトランシーバサブシステムと、トランシーバサブシステムとセンサとに結合されたプロセッサとを有し、前記プロセッサは、モバイル装置が使用中であることを判断し、センサからモバイル装置の傾斜角を取得し、傾斜角を使用して、ユーザの身体に対するモバイル装置の位置を推定するように構成される。
2016502322.tif 000002
【特許請求の範囲】
【請求項１】
プロセッサを有する装置であって、前記プロセッサは、
少なくとも１つのセンサの出力に基づいて、ユーザの身体部分に対する無線通信装置の位置を推定し、前記位置は左側位置、右側位置および正面位置を有するグループから選択され、
前記推定された位置に基づいて、少なくとも１つの無線通信装置の設定を構成する
ように構成されるプロセッサを有する装置。
【請求項２】
前記センサは、近接センサ、加速度計、ジャイロスコープ、磁力計および傾斜センサから構成されるグループから選択される、請求項１に記載の装置。
【請求項３】
前記身体部分は頭部であり、前記無線通信装置は、前記無線通信装置が使用中で、且つ前記無線通信装置が前記頭部に近接している間に、前記位置を推定するとともに前記設定を構成するように構成される、請求項１に記載の装置。
【請求項４】
前記設定を構成することは、前記位置が左側位置である場合に第１最適化構成を入力し、前記位置が右側位置である場合に第２最適化構成を入力しまたは前記位置が正面位置である場合に第３最適化構成を入力することを有する、請求項１に記載の装置。
【請求項５】
前記無線通信装置の使用は、非スピーカ―フォン、非ヘッドフォン、非ハンズフリー通話を有し、１つのセンサは、前記無線通信装置がユーザの頭部に近接していることを示すための近接センサである、請求項３に記載の装置。
【請求項６】
前記無線通信装置の設定は、I/Oデバイスの設定であり、前記I/Oデバイスは、スピーカー、マイクロフォンまたはアンテナから構成されるグループから選択される、請求項４に記載の装置。
【請求項７】
モバイル装置であって、
少なくとも１つのセンサと、
アンテナサブシステムであって、前記アンテナサブシステムは１つまたは複数のアンテナを有する、アンテナサブシステムと、
前記アンテナサブシステムに結合されたトランシーバサブシステムと、
前記トランシーバサブシステムと前記センサとに結合されたプロセッサであって、前記プロセッサは、
前記モバイル装置が使用中であることを判断し、
前記センサから前記モバイル装置の傾斜角を取得し、
前記傾斜角を使用して、ユーザの身体に対する前記モバイル装置の位置を推定する
ように構成される、プロセッサと
を有するモバイル装置。
【請求項８】
前記モバイル装置が使用中であることを判断することは、前記アンテナがデータを通信していること、または近接センサが前記モバイル装置がユーザの頭部に近接していることを示すことのいずれかを判断することを有する、請求項７に記載のモバイル装置。
【請求項９】
前記モバイル装置が使用中であることを判断することは、
音声通話が進行中であることと、
スピーカーフォンが使用中でないことと、
無線または有線のヘッドセットが使用中でないことと、
ハンズフリー装置が使用中でないことと
を検証することをさらに有する、請求項８に記載のモバイル装置。
【請求項１０】
前記センサは、加速度計、ジャイロスコープ、傾斜センサおよび位置センサから構成されるグループから選択される、請求項７に記載のモバイル装置。
【請求項１１】
前記プロセッサは、前記傾斜角が、前記モバイル装置がユーザの身体の右側に位置していると推定するために使用されるデータを提供する場合、前記モバイル装置の第１最適化構成を確立し、または前記傾斜角が、前記モバイル装置がユーザの身体の左側に位置していると推定するために使用されるデータを提供する場合、前記モバイル装置の第２最適化構成を確立するようにさらに構成される、請求項７に記載のモバイル装置。
【請求項１２】
前記傾斜角が、第１所定範囲に対応する場合、前記モバイル装置は、ユーザの身体の右側に位置していると推定され、または前記傾斜角が、第２所定範囲に対応する場合、前記モバイル装置は、ユーザの身体の左側にあると推定される、請求項１１に記載のモバイル装置。
【請求項１３】
前記傾斜角が、第３所定範囲に対応する場合、前記モバイル装置は、ユーザの身体に関して正面位置にあると推定される、請求項１２に記載のモバイル装置。
【請求項１４】
無線通信装置のための設定を最適化する方法であって、前記方法は、
無線通信装置のための初期システム設定を構成するステップと、
無線通信装置が使用中であることを判断するステップと、
センサからの出力を使用して、ユーザの頭部に対する無線通信装置の位置を推定するステップと、
前記推定された位置に基づいて、無線通信装置の設定を再構成するステップと
を有する方法。
【請求項１５】
前記センサからの出力を記録するステップと、
前記センサからの次の出力を取得するステップと、
前記ユーザの頭部に対する前記無線通信装置の新しい位置を取得するために、前記センサからの前記次の出力を、前記出力と比較するステップと、
前記無線通信装置の前記新しい位置に基づいて、前記無線通信装置の設定の第２再構成を実行するステップと
をさらに有する、請求項１４に記載の方法。
【請求項１６】
無線通信装置が使用中であることを判断するステップは、音声通話が進行中であること、スピーカーフォンが使用中でないこと、無線または有線のヘッドセットが使用中でないことおよびハンズフリー装置が使用中でないことのうちの全てが真であるという指示を受信するステップを有する、請求項１４に記載の方法。
【請求項１７】
前記センサは、加速度計、ジャイロスコープ、傾斜センサおよび位置センサから構成されるグループから選択される、請求項１４に記載の方法。
【請求項１８】
前記センサからの出力を記録するステップと、
ユーザ固有の自然な使用位置を決定するために統計分析を実行するステップと
をさらに有する、請求項１４に記載の方法。
【請求項１９】
無線通信装置の位置を推定するステップは、誤差範囲を使用して、誤った非定型使用測定値を除くステップを有する、請求項１４に記載の方法。
【請求項２０】
前記無線通信装置の設定を再構成するステップは、スピーカー、マイクロフォンおよびアンテナのうち少なくとも１つを選択するステップを有する、請求項１４に記載の方法。
【請求項２１】
前記無線通信装置の設定の第２再構成を行うステップは、スピーカー、マイクロフォンおよびアンテナのうち少なくとも１つを選択するステップを有する、請求項１４に記載の方法。
【請求項２２】
ユーザの頭部に対する無線通信装置の位置を推定するステップは、前記頭部の中心線とモバイル装置との間の角度に従って、前記モバイル装置が、ユーザの身体の右側または左側に位置することを推定するステップを有する、請求項１４に記載の方法。
【発明の詳細な説明】
【技術分野】
【０００１】
本発明は、頭部に対するハンドセットの位置を推定するための方法に関する。
【０００２】
本願は、“Method to Estimate Head Relative Handset Location”と題する、Jorge Fabrega Sanchezらによって2012年11月9日に出願された、米国非仮出願番号13/673,835に優先権を主張し、その全体において参照によって本明細書に組み込まれる。
【背景技術】
【０００３】
無線通信における進歩は、我々が通信し且つ情報にアクセスする方法に改革を起こしたとともに、アフォーダンス（affordability）および利用可能性（availability）が経年増加してきた多くの無線通信装置を生み出してきた。携帯電話、パーソナルデジタルアシスタント（personal digital assistant ：PDA）、無線ルータ、ハンドヘルドタブレット、ラップトップ等のような、多くの現代の無線通信装置は、様々な入力／出力（input/output：I/O）コンポーネントとユーザインタフェースとを使用する。実際、より多くのI/Oおよび送信機能（例えば、全地球測位システム（global positioning system：GPS）、無線ローカルエリアネットワーク（WLANまたはWi-Fi）、Bluetooth（登録商標）、セルラ通信等）は現在、スマートフォンのような、単一のポータブル電子装置に組み込まれている。現代の無線通信システムの多くは、静的I/Oおよびユーザインタフェース構成を利用する。
【発明の概要】
【課題を解決するための手段】
【０００４】
一態様では、本開示は、プロセッサを有する装置を含み、前記プロセッサは、少なくとも１つのセンサの出力に基づいて、ユーザの身体部分に対する無線通信装置の位置を推定し、前記位置は左側位置、右側位置および正面位置を有するグループから選択され、推定された位置に基づいて、少なくとも１つの無線通信装置の設定を構成するように構成される。
【０００５】
別の態様では、本開示は、モバイル装置を含み、前記モバイル装置は、少なくとも１つのセンサと、アンテナサブシステムと、アンテナサブシステムに結合されたトランシーバサブシステムと、トランシーバサブシステムとセンサとに結合されたプロセッサとを有し、前記プロセッサは、モバイル装置が使用中であることを判断し、センサからモバイル装置の傾斜角を取得し、傾斜角を使用して、ユーザの身体に対するモバイル装置の位置を推定するように構成される。
【０００６】
第３の態様では、本開示は、無線通信装置のための設定を最適化する方法を含み、前記方法は、無線通信装置のための初期システム設定を構成するステップと、無線通信装置が使用中であることを判断するステップと、センサからの出力を使用して、ユーザの頭部に対する無線通信装置の位置を推定するステップと、推定された位置に基づいて、無線通信装置の設定を再構成するステップとを有する。
【０００７】
これらの特徴および他の特徴は、添付の図面および特許請求の範囲と併せて行われる以下の詳細な説明からより明確に理解されるであろう。
【図面の簡単な説明】
【０００８】
本開示のより十分な理解のために、参照は、ここで、添付の図面および詳細な説明と併せて行われる、以下の簡潔な説明に対して行われ、同様の参照番号は同様の部分を表す。
【０００９】
【図１】図１は、ハンドヘルド無線通信装置の実施形態の正面透視図である。
【図２】図２は、無線通信装置の実施形態の概略図である。
【図３】図３は、一般的に水平方向における加速度計の実施形態を示す。
【図４】図４は、一般的に垂直方向における加速度計の実施形態を示す。
【図５Ａ】図５Aは、一般的に垂直位置における無線通信装置を示す。
【図５Ｂ】図５Bは、z軸に沿って回転した位置における無線通信装置を示す。
【図６Ａ】図６Aは、右側の自然な使用位置における無線通信装置を示す。
【図６Ｂ】図６Bは、左側の自然な使用位置における無線通信装置を示す。
【図７】図７は、頭部に対するハンドセットの位置を推定するための方法の実施形態のフローチャートを示す。
【図８】図８は、頭部に対するハンドセットの位置を推定するための方法の実施形態のための推定マップをグラフィカルに示す。
【図９Ａ】図９Aは、右側の非定型な使用位置における無線通信装置を示す。
【図９Ｂ】図９Bは、右側の非定型な使用位置における無線通信装置を示す。
【図１０】図１０は、左側の自然な使用位置における無線通信装置を示す。
【発明を実施するための形態】
【００１０】
１つまたは複数の実施形態の例示的な実施が以下に提供されるが、開示されたシステムおよび／または方法は、現在知られているかまたは存在する任意の数の技術を使用して実施されてもよいことは、最初に理解されるべきである。本開示は、本明細書に示されるとともに説明される例示的な設計および実施を含む、以下で示される例示的な実施、図面および技術に限定されることは決してあってはならないが、全範囲の均等物とともに、添付の特許請求の範囲内で修正されてもよい。
【００１１】
本明細書では、無線通信装置のための頭部に対するハンドセットの位置を推定するためのシステムおよび方法が開示される。本明細書で使用されるように、「頭部に対する」という語句は、ハンドセットが位置する、例えば左側または右側のような、ユーザの頭部の特定の側を識別するという意味を有してもよい。システムおよび方法は、無線通信装置がユーザの頭部の右側にあるのか左側にあるのかというような、無線通信装置を取り巻く環境の方向および／または面を決定するためにセンサ技術を使用してもよい。このシステムおよび方法は、ユーザの身体に対する位置および／または頭部に対する位置に基づいて異なる処理特性を順番に提供し得る、様々な画面サイズおよびフォームファクタ（form factor）を有するよりデータセントリック（data centric）になりつつある現代のモバイル無線通信装置によく適してもよい。本明細書で使用されるように、「データ」という用語は、例えば音声通話のような音声通信と同様にコンピュータが理解可能な通信を含んでもよい。ユーザの身体部分に対する無線通信装置の位置がわかると、無線通信装置は、ソフトウェアおよび／またはハードウェアレベルで所望の性能特性のために構成されてもよい。
【００１２】
システムおよび方法は、無線周波数（radio frequency：RF）信号を送信および受信するために使用される無線通信装置内で実施されてもよい。無線通信装置は、携帯電話のようなハンドヘルド装置であってもよい。無線通信装置は、ディスプレイ、キーパッド、タッチスクリーン、加速度計、ジャイロセンサ、全地球測位システム（Global Positioning System：GPS）、マイクロフォンおよび／または無線インタフェース（例えば、Wi-Fi接続）のような、複数の軸（複数の次元）の入力システムを備えてもよい。
【００１３】
本開示は、頭部に対する位置においてユーザの身体に対する無線通信装置の位置を推定する方法および携帯電話のための様々な実施形態を、例としてであって限定としてではなく説明する。例えば、無線通信装置は、ポータブル双方向無線トランシーバ（例えば、「ウォーキートーキー」）、携帯電話、タブレットコンピュータ、携帯情報端末（PDA）、ディクタフォン、全地球測位システム装置、ガレージドアオープナー、無線コンピュータマウス、無線キーボード、無線コンピュータ周辺機器、テレビリモートコントロール、ワイヤレスキー、コードレス電話のような、様々なタイプのハンドヘルドまたはパーソナル装置を有してもよい。同様に、「頭部」に対する位置への参照が簡便のために使用されるが、例えば手や脚等の任意の身体部分が、参照のベースのために必要に応じて代わりに使用されてもよい。当業者は、任意の他のタイプの無線通信装置において、および別の解剖学的な基準フレームを使用して開示された方法を実施することは、本開示の範囲に包含されると認識するであろう。
【００１４】
図１は、ハンドヘルド無線通信装置１００の実施形態の正面透視図である。無線通信装置１００は、ハウジング１０１を有してもよい。ハウジング１０１は、無線通信装置１００の外部表面を形成するケーシング（casing）であってもよいとともに、無線通信装置１００の周囲に沿って複数の縁１０２を有してもよい。縁１０２は、下縁１０４と、２つの側縁と、下縁１０４と反対側の上縁とを含んでもよい。下縁１０４は、伝導性ストリップ１１０を有してもよい。伝導性ストリップ１１０は、装置のアンテナの外側部分を有してもよく、装置のアンテナは、外側部分と内側部分を有してもよい。無線通信装置１００は、例えば縁１０２に沿って１つの外部表面上に位置してもよい１つまたは複数のI/Oポート１１２、および装置のフロントパネル１１４上の１つまたは複数のI/O開口部１０６および装置の縁１０２上の開口部１０８をまた有してもよい。開口部１０６および１０８は、無線通信装置１００の内側に配置されてもよい１つまたは複数のスピーカーまたはマイクロフォン（図示せず）をサポートしてもよい。フロントパネル１１４は、タッチスクリーンパネルと、任意で、複数の入力ボタン（例えば、QWERTYキーボード）を有してもよい。１つまたは複数の入力ボタン（図示せず）も同様に、縁１０２上に配置されてもよい。
【００１５】
ハウジング１０１の形状は、例えば、異なる装置のタイプおよび／または異なる装置の製造者のための、異なる設計に基づいて変化してもよい。形状は、任意の三次元の形状であってよいが、一般に、長方形または立方体である。一実施形態では、ハウジング１０１は、一般に、丸みを帯びた角を有する直方体形状を有してもよい。ハウジング１０１の次元もまた変化してもよい。一実施形態では、一般的な立方形状は、約10ミリメートルの厚さ（t）、約110ミリメートルの長さ（l）および約60ミリメートルの幅（w）を有してもよい。他の実施形態では、ハウジング１０１の寸法は、異なる値を有してもよいが、上述と同様の比または異なる比を有する。例えば、ハウジング１０１の形状は、t、lおよびwに関する上述の寸法と比較してより長く、より広くまたはより厚くてもよい。ハウジング１０１は、プラスチック、繊維ガラス、ゴムおよび／または他の適切な材料を含んでもよい、様々な材料から作られてもよい。ポータブル電子機器に対して、装置の全体の重量を低減するために、高強度ガラス、ポリマー、および／または任意で軽金属（アルミニウム等）がハウジング１０１の一部として使用されてもよい。フロントパネル１１４がタッチスクリーンパネルである場合、伝導性コーティングを有するポリマー（例えば、ポリ（メチルメタクリレート））または高強度ガラスがハウジング１０１内で使用されてもよい。１つまたは複数のアンテナが縁１０２の周りに配置されてもよく、以下でより詳細に説明されるように、金属材料のような、RF信号の放射に適した伝導性材料で作られてもよい。
【００１６】
図２は、例えば、図１の無線通信装置１００のような、無線通信装置２００の実施形態を有する特定の構成要素を示す概略図である。無線通信装置は、例として携帯電話またはスマートフォン、またはタブレットコンピュータのような、無線電話であってもよい。無線通信装置２００は、図２に示されるように構成された、アンテナ２１２および２１４を有するアンテナサブシステム２１０、トランシーバサブシステム２２０、１つまたは複数のセンサ２３０、処理部２４０、プロセッサ２５０、読出し専用メモリ（ROM）２６０、ランダムアクセスメモリ（RAM）２７０、二次記憶装置２８０およびI/O２９０を有する。
【００１７】
アンテナサブシステム２１０は、アンテナ２１２およびアンテナ２１４を有してもよく、アンテナ２１２および２１４間で選択を行うためのスイッチ（図示せず）をさらに有してもよい。アンテナ２１２および２１４は、受信モードのときに電波を電気信号に変換するとともに、送信モードのときに電気信号を電波に変換する、例えば、図１の縁１０２の周りのアンテナのような、任意のタイプのアンテナを有してもよい。アンテナサブシステム２１０は、１つのアンテナまたは複数のアンテナを有してもよいとともに、トランシーバサブシステム２２０に結合されてもよい。いくつかの実施形態では、アンテナ２１２および／または２１４は、例えば、８２４から２６９０メガヘルツ（MHz）の範囲内の１つまたは複数の周波数で動作してもよい。しかしながら、本明細書で開示された実施形態は、これらの周波数に限定されず、他の周波数でも同様に動作するように実施されてもよい。
【００１８】
トランシーバサブシステム２２０は、電気信号を介してアンテナサブシステム２１０にデジタル情報を送信するとともにアンテナサブシステム２１０からデジタル情報を受信するシステムであってもよい。電気信号は、1700MHzまたは2200MHzのような、特定のRFを中心としてもよい。トランシーバサブシステム２２０は、送信用の局部発振器、変調器およびチャネル符号器、および受信用の局部発振器、復調器およびチャネル復号器のような、アナログ信号からデジタルデータを抽出するための構成要素を有してもよい。これらの構成要素のいくつかは、トランシーバサブシステム２２０内のベースバンドプロセッサ内に実装されてもよい。
【００１９】
処理部２４０は、トランシーバサブシステム２２０、センサ２３０およびI/O２９０から入力を受信するように構成されてもよいとともに、その中でアンテナ２１２および２１４間の選択を行うように、アンテナシステム２１０の構成を制御するように構成されてもよい。処理部２４０は、ベースバンドプロセッサから独立したユニットであってもよいし、またはベースバンドプロセッサそのものであってもよい。処理部２４０は、二次記憶装置２８０、ROM２６０およびRAM２７０を含むメモリ装置と通信するプロセッサ２５０（中央プロセッサユニットまたはCPUと呼ばれてもよい）を含んでもよい。プロセッサ２５０は、頭部に対するハンドセットの位置を推定するための方法７００における１つまたは複数のステップと同様の１つまたは複数のステップを実施してもよい。プロセッサ２５０は、１つまたは複数の中央処理装置（CPU）チップとして実装されてもよく、または１つまたは複数の特定用途向け集積回路（ASIC）および／またはデジタル信号プロセッサ（DSP）の一部であってもよい。プロセッサ２５０は、センサ２３０のようなｎ個のセンサから受信された情報に基づいて、所望の実行構成を決定するために、無線通信装置のための頭部に対するハンドセットの位置情報を格納することができる、ROM２６０、RAM２７０および／または二次記憶装置２８０にアクセスしてもよい。
【００２０】
１つまたは複数のセンサ２３０は、無線通信装置２００の方向および／または環境を判断するために構成されてもよい。例として、方向は、垂直方向に対する傾斜または回転であってもよいとともに、環境は、屋内または屋外環境であってもよい。センサ２３０は、１つまたは複数の加速度計、磁力計、ジャイロスコープ、傾斜センサ、角度方向を測定するための他の適切なセンサ、近接センサまたはそれらの任意の組合せまたは順列を含んでもよい。近接センサは周知であるとともに、光学的、容量性、超音波または他の近接センサを含む。例示のセンサは、以下でさらに詳細に説明される。センサ２３０およびトランシーバサブシステム２２０は、図２に示されるような処理部２４０に結合されてもよい。
【００２１】
図３は、図２におけるセンサ２３０のように無線通信装置２００内に実装されてもよいような、単一軸加速度計３００の実施形態の１つの方向を示す。図４は、単一軸加速度計の実施形態の第２の方向を示す。加速度計は、適切な加速度を測定する装置である。加速度計によって測定される適切な加速度は、必ずしも座標加速度（すなわち、速度の変化率）ではない。むしろ、それは加速度計装置の基準のフレーム内で静止した任意の試験量（test mass）によって経験された重量の現象に関連付けられた加速度であってもよい。図３を参照すると、加速度計３００は、絶縁材料３２０のかたまりに押し付けるプレート３１０を有してもよく、絶縁材料３２０のかたまりは、２つの他の材料３３０および３４０の間に挟まれてもよい。重力の方向（G）が図３および４に示される。平らな場合、加速度計３００は、水平に“+1G”方向にある（すなわち、加速度計３００の検出軸は重力の方向と一直線上にある）とともに、垂直に“0G”方向にある（すなわち、加速度計３００の検出軸は重力の方向に直交である）と考えられる。加速度計３００が地球の表面に対して静止している場合、回転角θを有する図３の加速度計３００は、横軸において+1Gよりも小さい値を、且つ縦軸において0Gよりも大きい値を記録してもよい。回転角θは、Gn=G*Cos(θ)として計算されてもよい。垂直のとき、加速度計３００は、垂直に“0G”方向にある（すなわち、加速度計３００の検出軸は重力の方向に直交する）とともに、水平に“0G”方向にある（すなわち、加速度計３００の検出軸は重力の方向と一直線上にある）と考えられる。加速度計３００が地球の表面に対して静止している場合、回転角θを有する図４の加速度計３００は、縦軸において+1Gよりも小さい値を、且つ横軸において0Gよりも大きい値を記録してもよい。回転角θは、Gn=G*Sin(θ)として計算されてもよい。基本的には、静止した単一軸加速度計は、特定の軸上のg-力（g-force）の投影を測定するであろう。３軸加速度計は、各軸上のGnの投影を測定してもよい。３つの直交軸に沿って投影が与えられると、装置の方向が決定されることができる。
【００２２】
図５Aは、y軸に対して垂直方向を有する無線通信装置５００を示し、一般にポートレートモード（portrait mode）と呼ばれてもよい。図５Bは、z軸の周りを回転した、すなわち、図５Aのy軸に対してθ度ずれた、図５Aの無線通信装置５００を示す。無線通信装置５００は、図２の無線通信装置２００であってもよい。一実施形態では、無線通信装置５００は、単一軸に沿った角度方向における変化を検出するために、1つのセンサ、例えば、図３の加速度計３００を含む。別の実施形態では、無線通信装置５００は、１つまたは複数の軸に沿った角度方向における変化を検出するために、複数のセンサを含む。
【００２３】
図６Aは、y軸に対して角度θ1で頭部６０２の右側に近接した無線通信装置６００を示す。図６Aで描かれた無線通信装置は、それぞれ0.91，0.29，-0.13であるX，Y，ZG値を測定していてもよい。図６Bは、y軸に対して角度θ2で頭部６０２の左側に近接した無線通信装置６００を示す。図６Bで描かれた無線通信装置は、それぞれ-0.91，-0.42，-0.05であるX，Y，ZG値を測定していてもよい。図６Aおよび図６Bは、無線通信装置６００、例えば、図１の開口部１０６を介してアクセス可能な、無線通信装置５００上のスピーカー（図示せず）は耳に近接して配置されているとともに、例えば、図１の開口部１０８を介してアクセス可能な、マイクロフォン（図示せず）は口に近接して配置されているような位置における図５Aおよび図５Bの無線通信装置５００を示す。参照を容易にするために、且つ限定することなく、ユーザの頭部が一般に垂直位置にあるときに、無線通信装置６００がユーザの頭に近接しているとともに無線通信装置６００が一般にユーザの耳のあたりからユーザの口のあたりまで伸びる中心線を有する、位置の範囲を含む図６Aおよび図６B内に示される位置は、本明細書では自然な使用位置と呼ばれてもよい。
【００２４】
図７は、頭部に対するハンドセットの位置を推定するための方法の実施形態を示すブロック図である。方法７００は、図６Aおよび図６Bの無線通信装置６００のような無線通信装置が、例えば、音声通話で使用中かどうかを判断することによって、ステップ７０２で開始してもよい。無線通信装置が使用中でない場合、本明細書では初期構成とも呼ばれる、デフォルト構成７０４が開始されてもよい。例えば、デフォルト構成７０４は、例えば、ポケット、ブリーフケースまたはバックパックの中のような運ぶ位置において無線通信装置を運ぶために適したソフトウェアおよび／またはハードウェア構成を含んでもよく、別の例では、デフォルト構成７０４はまた、装置は使用中であるが装置はユーザの頭部に近接していない場合に適したソフトウェアおよび／またはハードウェア構成を含んでもよい。代わりに、デフォルト構成７０４は、無線通信装置が使用中でない場合に無線通信装置が自動的に戻ってもよいソフトウェアおよび／またはハードウェア構成を指定してもよい。無線通信装置が使用中である場合、ステップ７０６では、方法７００は、無線通信装置がユーザの頭部に近接していることを検証してもよい。一実施形態では、方法は、例えば図２のセンサ２３０のような近接センサが「ON」であること、タッチスクリーン、LCD、Bluetooth（登録商標） headset (HSP)、および／またはハンズフリー(HFP)が「OFF」であること、スピーカーフォン機能が有効化されていないこと、および／またはヘッドセットが無線通信装置に物理的に接続されていないことを検証することによって、無線通信装置が音声通話に使用中であり、且つユーザの頭部に近接していることを検証する。ステップ７０６が無線通信装置はユーザの頭部に近接していないと判断した場合、デフォルト構成７０４が開始されてもよい。ステップ７０６が無線通信装置はユーザの頭部に近接していると判断した場合、ステップ７０８では、例えば図３の加速度計３００のような１つまたは複数のセンサが、無線通信装置の二次元または三次元の傾斜角を決定するために利用されてもよい。１つまたは複数のセンサは、連続的に、または、例えば、無線通信装置は使用中であり且つユーザの頭部に近接していると判断されるような、トリガ条件によって、傾斜角を監視するように構成されてもよい。ステップ７１０では、測定された傾斜角が所定範囲を占めているかどうか判断するために、測定された傾斜角が評価されてもよい。一実施形態では、傾斜角は、図６Aおよび図６Bに基づいて測定されてもよい。測定された傾斜角が所定範囲を占めていない場合、第１最適化構成７１２が開始されてもよい。例えば、第１最適化構成７１２は、右側の自然な使用位置と相関してもよい。測定された傾斜角が所定範囲を占めている場合、第２最適化構成７１４が開始されてもよい。第２最適化構成７１４は、左側の自然な使用位置と相関してもよい。実施形態では、傾斜角の測定値を決定して第１最適化構成７１２または第２最適化構成７１４を選択する前に、第１最適化構成７１２および第２最適化構成７１４が、構成されるか設定されてもよい。別の実施形態では、装置は、傾斜角の測定値が決定された後に、装置の設定を構成および設定してもよい。
【００２５】
いくつかの実施形態では、第１または第２最適化構成７１２のいずれかは、デフォルト構成７０４と同じであってもよい。いくつかの実施形態では、装置の設定は、例えば、左側位置、右側位置または正面位置のような、特定の位置に適したソフトウェアおよび／またはハードウェア構成（例えば、アンテナ構成、および／またはスピーカー構成等）を含む。例えば、装置の設定は、スピーカーの音量設定であってもよく、デフォルト設定は、スピーカーの第１音量設定に対応してもよく、第１最適化設定は、同じ第１音量設定に対応してもよく、第２最適化構成は、第２音量設定に対応してもよい。対応する位置に相関された様々な構成（例えば、第１最適化構成または第２最適化構成）のための装置の設定は、装置によって自動的に実施されてもよく、またはユーザの入力または選択を介して実施されてもよい。さらに別の実施形態では、第２の測定された傾斜角が評価されるとともに、第１、第２またはデフォルト構成が評価に基づいて適宜選択される。当業者によって理解されるように、２つだけの最適化構成が図７において示されるが、方法はそのように限定されず、３つ以上の最適化構成を含んでもよい。例えば、正面位置は、第３最適化構成によって説明されてもよい。
【００２６】
実施形態のように、第１最適化構成７１２および第２最適化構成７１４のうちの少なくとも１つは、識別された自然な使用位置に適したI/O構成を含んでもよい。一実施形態では、無線通信装置がそのように構成された場合、例えばユーザの聴覚障害を考慮するために、第１最適化構成７１２は、第２最適化構成７１４よりも大音量の設定でオーディオを出力するようにオーディオゲインテーブル（audio gain table）を修正する。別の実施形態では、第１最適化構成７１２は、音声入力のためにユーザの口に近位の第１マイクロフォンと、ノイズキャンセリング（noise cancellation）の監視および補償のためにユーザの口から遠位の第２マイクロフォンとを利用する。さらに別の実施形態では、自然な使用位置は、無線通信装置に、最適化された使用中の送信のために、無線通信装置の反対側にある図２のアンテナ２１２および２１４のような、２つの同一のアンテナのうちの１つを選択させ、第１アンテナは最適化された右側使用構成に対応するとともに、第２アンテナは最適化された左側使用構成に対応する。さらに別の実施形態では、自然な使用位置は、第３最適化構成に基づいて最適化されたアンテナの使用によって、両手または正面の自然な使用のテキスティング（texting）位置に対応してもよい。そのようなテキスティングの実施形態は、第２または第３の軸に沿った傾斜角の測定値を必要としてもよいとともに、運転中にテキスティングを許可しないように構成されてもよい。例えば、無線通信装置がさらに、例えばGPS信号や速度検知信号等の、無線通信装置が移動車の中にあるという指示を受信した場合、テキスティング機能は許可されなくてもよい。様々な他のソフトウェアおよび／またはハードウェア構成は、当業者には明らかであろう。
【００２７】
図８は、例示の右／左側推定マップ８００を示す。マップ８００は、例えば、図７のステップ７１０での、加速度計の出力に基づいて無線通信装置８０２の傾斜角を決定することに関する例示的な使用のために適していてもよい。無線通信装置８０２は、図６Aおよび図６Bの無線通信装置６００であってもよい。正の第１座標値は、無線通信装置８０２が右側の自然な使用位置に方向づけられていることを示してもよい。負の第１座標値は、無線通信装置８０２が左側の自然な使用位置に方向づけられていることを示してもよい。
【００２８】
図９Aおよび図９Bは、例えば、図７の最適化構成７１２および７１４のような、特定の最適化されたソフトウェアおよび／またはハードウェア構成に入るという目的のために、例えば、推定マップ８００の値のような、座標値の割り当てのための正確なパラメータを決定するときに考慮されてもよい非定型なユースケースを示す。図９Aは、y軸に対して角度θ1で頭部９０２の右側に近接した無線通信装置９００を示す。図９Aで描かれた無線通信装置は、それぞれ、正確に右側の自然な使用位置と相関して、0.38，1.00，-0.07，1.07の値を持つ測定されたX，Y，Zおよび全フィールドのG値を有してもよい。図９Bは、y軸に対して角度θ2で頭部９０２の右側に近接した無線通信装置９００を示す。図９Bで描かれた無線通信装置は、それぞれ、間違って左側の自然な使用位置と相関して、-0.33，-0.83，0.18，0.91の値を持つ測定されたX，Y，Zおよび全フィールドのG値を有してもよい。いくつかの実施形態では、非定型なユースケースは、許容可能な誤差とみなされるとともに、そのようなケースに対応するために特別なプロトコル、方法、メカニズムまたは手順は使用されない。他の実施形態では、非定型なユースケースは、例えば、垂直から約±5°から±45°の範囲のような、誤差範囲を含むことによって説明され、無線通信装置は、その推定マップの半球の残りの部分によって示された使用位置と反対の頭部に対する位置を有していると読み取られてもよい。さらに他の実施形態では、非定型なユースケースは、前の読み取り値を記録し、現在の測定値を前の読み取り値と比較し、ある条件下で自然な使用位置間の遷移を許可しないこと、例えば、180°を通過する遷移を許可しないことによって説明される。非定型なユースケースを説明するための他の方法は、当業者には容易に明らかであろう。
【００２９】
他の実施形態では、頭部に対するハンドセットの位置は、統計分析の目的のために、ローカルにまたはサードパーティのリポジトリに格納される。いくつかの実施形態では、サードパーティは、ソフトウェアおよび／またはハードウェアの設計の目的のために統計分析を使用する。他の実施形態では、無線通信装置は、自然な、および非定型なユーザの位置を決定する目的のために、より正確なまたはカスタマイズされた使用パラメータをローカルに生成するために統計分析を使用する。
【００３０】
図１０は、y軸に対して角度θ1で、x軸に対して角度θ2で、z軸に対して角度θ3で、頭部１００２の左側に近接している無線通信装置１０００を示す。本明細書で説明された方法の実施形態は、例えば、限定はしないが、複数の加速度計を含む図２のセンサ２３０のような１つまたは複数のセンサを利用することによって三次元方向を説明してもよい。いくつかの例では、三次元マッピングは、頭部に対するハンドセットの位置を推定するための方法の精度を高めるため、または機能性を高めるために有効であってもよい。他の例では、ハードウェア、ソフトウェア、運用、ビジネスまたは環境上の制約は、望ましい１つの軸のみにおける測定値を与えてもよい。
【００３１】
少なくとも１つの実施形態が開示されるとともに、当業者によって行われた実施形態のおよび／または実施形態の特徴の変更、組合せおよび／または修正は、本開示の範囲に包含される。実施形態の特徴を結合し、統合し、および／または省略することから生じる代替の実施形態もまた、本開示の範囲に包含される。数値範囲または限定が明白に記載されている場合、そのような明示範囲または限定は、明白に記載された範囲または限定内に包含される大きさと同様の反復範囲または限定を含むものとして理解されるべきである（例えば、約1から約10は、2，3，4等を含み、0.10よりも大きいものは、0.11，0.12，0.13等を含む。）例えば、下限値R1および上限値Ruを有する数値範囲が開示されるときはいつでも、範囲に包含される任意の数字が具体的に開示されている。特に、以下の範囲内の数字が具体的に開示されている：R = Rl + k * (Ru - Rl)
kは1パーセント刻みで1パーセントから100パーセントまでの範囲にわたる変数であり、すなわち、kは1パーセント，2パーセント，3パーセント，4パーセント，5パーセント，・・・，50パーセント，51パーセント，52パーセント，・・・，95パーセント，96パーセント，97パーセント，98パーセント，99パーセントまたは100パーセントである。さらに、上述で定義されたような２つのRの数字によって定義された任意の数値範囲もまた具体的に開示されている。特に明記しない限り、「約」という用語の使用は、次の数字の±10％を意味する。請求項の任意の要素に関する「任意で」という用語の使用は、要素は必要とされるか、あるいは、要素は必要とされないことを意味し、どちらの選択肢も特許請求の範囲に含まれる。〜を有する、〜を含む、〜を持つ、等の上位後の使用は、〜からなる、本質的に〜からなる、実質的に〜から構成される、等の下位語に対するサポートを提供するように理解されるべきである。従って、保護範囲は、上述した説明によって限定されず、添付の特許請求の範囲によって定義され、保護範囲は特許請求の範囲の主題の全ての均等物を含む。それぞれおよび全ての請求項は、さらなる開示として明細書に組み込まれるとともに、請求項は本開示の実施形態である。開示における参照の議論は、従来技術、特に本願の優先日後の公開日を持つ任意の参照であることを認めるものではない。本開示において引用される全ての特許、特許出願および刊行物の開示は、本明細書では、それらが本開示を補足する例示的、手順的、または他の詳細を提供する範囲まで参照によって組み込まれる。
【００３２】
いくつかの実施形態が本開示内で提供されたが、開示されたシステムおよび方法は、本開示の精神または範囲を逸脱することなく、多くの他の具体的な形態で実装されてもよいことは理解されるべきである。本実施例は、例示的なものであって限定的なものではないものとして考えられるべきであり、その意図は、本明細書に与えられた詳細に限定されるべきものではない。例えば、様々な要素または構成要素は、別のシステム内で結合されるか統合されてもよく、または特定の特徴は省略されるかまたは実施されなくてもよい。
【００３３】
また、離散的または別個のものとして様々な実施形態で説明され示された技術、システム、サブシステムおよび方法は、本開示の範囲を逸脱することなく、他のシステム、モジュール、技術または方法と結合されるかまたは統合されてもよい。結合されるか直接結合された、または互いに通信するものとして示されるかまたは議論された他の項目は、電気的、機械的または他の方法でいくつかのインタフェース、装置または中間コンポーネントを介して間接的に結合されるか通信してもよい。変更、置換および改変の他の実施例は、当業者によって確認可能であるとともに、本明細書で開示された精神および範囲を逸脱することなく行われることができる。
【符号の説明】
【００３４】
２１２  アンテナ
２１４  アンテナ
２２０  トランシーバサブシステム
２３０  センサ
２５０  プロセッサ
２８０  二次記憶装置
【図１】
2016502322.tif 000003
【図２】
2016502322.tif 000004
【図３】
2016502322.tif 000005
【図４】
2016502322.tif 000006
【図５Ａ】
2016502322.tif 000007
【図５Ｂ】
2016502322.tif 000008
【図６Ａ】
2016502322.tif 000009
【図６Ｂ】
2016502322.tif 000010
【図７】
2016502322.tif 000011
【図８】
2016502322.tif 000012
【図９Ａ】
2016502322.tif 000013
【図９Ｂ】
2016502322.tif 000014
【図１０】
2016502322.tif 000015
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
プロセッサを有する装置であって、前記プロセッサは、
音声通話が進行中であり、スピーカーフォンが使用中でなく、ヘッドセットが使用中でなく、且つハンズフリー装置が使用中でないという指示を受信することによって、無線通信装置が使用中であることを判断し
少なくとも１つのセンサの出力に基づいて、ユーザの身体部分に対する前記無線通信装置の位置を推定し、前記位置は左側位置、右側位置および正面位置を有するグループから選択され、
前記推定された位置に基づいて、少なくとも１つの無線通信装置の設定を構成する
ように構成されるプロセッサを有する装置。
【請求項２】
前記センサは、近接センサ、加速度計、ジャイロスコープ、磁力計および傾斜センサから構成されるグループから選択される、請求項１に記載の装置。
【請求項３】
前記身体部分は頭部であり、前記無線通信装置は、前記無線通信装置が使用中で、且つ前記無線通信装置が前記頭部に近接している間に、前記位置を推定するとともに前記設定を構成するように構成される、請求項１に記載の装置。
【請求項４】
前記設定を構成することは、前記位置が左側位置である場合に第１最適化構成を入力し、前記位置が右側位置である場合に第２最適化構成を入力しまたは前記位置が正面位置である場合に第３最適化構成を入力することを有する、請求項１に記載の装置。
【請求項５】
前記無線通信装置の設定は、I/Oデバイスの設定であり、前記I/Oデバイスは、スピーカー、マイクロフォンまたはアンテナから構成されるグループから選択される、請求項１に記載の装置。
【請求項６】
モバイル装置であって、
少なくとも１つのセンサと、
アンテナサブシステムであって、前記アンテナサブシステムは１つまたは複数のアンテナを有する、アンテナサブシステムと、
前記アンテナサブシステムに結合されたトランシーバサブシステムと、
前記トランシーバサブシステムと前記センサとに結合されたプロセッサであって、前記プロセッサは、
音声通話が進行中であり、スピーカーフォンが使用中でなく、ヘッドセットが使用中でなく、且つハンズフリー装置が使用中でないという指示を受信することによって、前記モバイル装置が使用中であることを判断し、
前記センサから前記モバイル装置の傾斜角を取得し、
前記傾斜角を使用して、ユーザの身体に対する前記モバイル装置の位置を推定する
ように構成される、プロセッサと
を有するモバイル装置。
【請求項７】
前記モバイル装置が使用中であることを判断することは、前記アンテナがデータを通信していること、または近接センサが前記モバイル装置がユーザの頭部に近接していることを示すことのいずれかを判断することを有する、請求項６に記載のモバイル装置。
【請求項８】
前記センサは、加速度計、ジャイロスコープ、傾斜センサおよび位置センサから構成されるグループから選択される、請求項６に記載のモバイル装置。
【請求項９】
前記プロセッサは、前記傾斜角が、前記モバイル装置がユーザの身体の右側に位置していると推定するために使用されるデータを提供する場合、前記モバイル装置の第１最適化構成を確立し、または前記傾斜角が、前記モバイル装置がユーザの身体の左側に位置していると推定するために使用されるデータを提供する場合、前記モバイル装置の第２最適化構成を確立するようにさらに構成される、請求項６に記載のモバイル装置。
【請求項１０】
前記傾斜角が、第１所定範囲に対応する場合、前記モバイル装置は、ユーザの身体の右側に位置していると推定され、または前記傾斜角が、第２所定範囲に対応する場合、前記モバイル装置は、ユーザの身体の左側にあると推定される、請求項９に記載のモバイル装置。
【請求項１１】
前記傾斜角が、第３所定範囲に対応する場合、前記モバイル装置は、ユーザの身体に関して正面位置にあると推定される、請求項１０に記載のモバイル装置。
【請求項１２】
無線通信装置のための設定を最適化する方法であって、前記方法は、
前記無線通信装置のための初期システム設定を構成するステップと、
音声通話が進行中であり、スピーカーフォンが使用中でなく、ヘッドセットが使用中でなく、且つハンズフリー装置が使用中でないという指示を受信することによって、前記無線通信装置が使用中であることを判断するステップと、
センサからの出力を使用して、ユーザの頭部に対する前記無線通信装置の位置を推定するステップと、
前記推定された位置に基づいて、前記無線通信装置の設定を再構成するステップと
を有する方法。
【請求項１３】
前記センサからの出力を記録するステップと、
前記センサからの次の出力を取得するステップと、
前記ユーザの頭部に対する前記無線通信装置の新しい位置を取得するために、前記センサからの前記次の出力を、前記出力と比較するステップと、
前記無線通信装置の前記新しい位置に基づいて、前記無線通信装置の設定の第２再構成を実行するステップと
をさらに有する、請求項１２に記載の方法。
【請求項１４】
前記センサは、加速度計、ジャイロスコープ、傾斜センサおよび位置センサから構成されるグループから選択される、請求項１２に記載の方法。
【請求項１５】
前記センサからの出力を記録するステップと、
ユーザ固有の自然な使用位置を決定するために統計分析を実行するステップと
をさらに有する、請求項１２に記載の方法。
【請求項１６】
無線通信装置の位置を推定するステップは、誤差範囲を使用して、誤った非定型使用測定値を除くステップを有する、請求項１２に記載の方法。
【請求項１７】
前記無線通信装置の設定を再構成するステップは、スピーカー、マイクロフォンおよびアンテナのうち少なくとも１つを選択するステップを有する、請求項１２に記載の方法。
【請求項１８】
前記無線通信装置の設定の第２再構成を行うステップは、スピーカー、マイクロフォンおよびアンテナのうち少なくとも１つを選択するステップを有する、請求項１２に記載の方法。
【請求項１９】
ユーザの頭部に対する無線通信装置の位置を推定するステップは、前記頭部の中心線とモバイル装置との間の角度に従って、前記モバイル装置が、ユーザの身体の右側または左側に位置することを推定するステップを有する、請求項１２に記載の方法。
【国際調査報告】
2016502322.tif 000016
2016502322.tif 000017